(57)【要約】【課題】車の走行中に音楽を聴く際、ユーザの心地よいと感じる音質はユーザの心理的な要因などによって変化するので、この心地よいと感じる音質の変化に対応して、ユーザに最適な音量、音質の制御を行い良好な音響再生装置を提供することを目的とする。【解決手段】時間を検出する時間情報検出手段１と、時間の変化を判断し音質制御量を決定する制御判断部２と、音声ソースからの音声を入力する音声入力部３と、入力された音声の音質・音量を制御する音質・音量制御部４と、制御された音声を出力する音声出力部５を設けた構成の音響再生装置である。【選択図】図１
2007300569.tif 000002
【特許請求の範囲】
【請求項１】
音声入力部から入力された音声信号を、任意の音質・音量に補正を行う音質・音量制御部を通り、音声出力部より音声出力を行う音響再生装置において、時刻や時間変化などの情報を検出する時間情報検出手段を有し、前記時間情報検出手段にて検出された情報から、音声を聴いているユーザの心理状態を判断し、前記音質・音量制御部に制御命令を行う制御判断部を有し、前記時間情報検出手段により検出された時間情報に応じて、前記入力音声の音質・音量を自動的に補正するようにした音響再生装置。
【請求項２】
時間情報検出手段として、時計などの時刻情報を検出するようにした請求項１に記載の音響再生装置。
【請求項３】
時間情報検出手段として、照度計など外部の明るさを検出することにより、時刻情報を検出するようにした請求項１に記載の音響再生装置。
【請求項４】
時間情報検出手段として、走行時間を検出するようにした請求項１に記載の音響再生装置。
【請求項５】
制御判断部によって判断され、音質・音量制御部にて自動的に補正される補正レベルを、補正レベル選択手段により、ユーザによって５段階程度までのレベルから選択できるようにした請求項１に記載の音響再生装置。
【請求項６】
制御判断部によって判断させる判断基準を、補正タイミング設定手段により、ユーザによって設定できるようにした請求項１に記載の音響再生装置。
【請求項７】
制御判断部によって補正を行うか、行わないかの判断を、ＯＮ／ＯＦＦ選択手段によりユーザによって選択できる請求項１に記載の音響再生装置。
【請求項８】
制御判断部において、現在の音量レベルに応じて補正レベルを変化させるようにした請求項１に記載の音響再生装置。
【請求項９】
雨を検出する雨情報検出手段を有し、検出した雨情報により音声を聴いているユーザの心理情報を判断し、音質・音量制御部に制御命令を行う制御判断部を有し、入力音声の音質・音量を自動的に補正するようにした音響再生装置。
【請求項１０】
制御判断部によって雨情報検出手段から得られた情報に応じて補正を行うか、行わないかの判断を、ＯＮ／ＯＦＦ選択手段により、ユーザによって選択できるようにした請求項９に記載の音響再生装置。
【請求項１１】
風きり音を検出する風きり音情報検出手段を有し、検出した風きり音情報により音声を聴いているユーザの心理状態を判断し、音質・音量制御部に制御命令を行う制御判断部を有し、入力音声の音質・音量を自動的に補正するようにした音響再生装置。
【請求項１２】
制御判断部によって風きり音情報検出手段から得られた情報に応じて補正を行うか、行わないかの判断を、ＯＮ／ＯＦＦ選択手段により、ユーザによって選択できるようにした請求項１１に記載の音響再生装置。
【発明の詳細な説明】
【技術分野】
【０００１】
本発明は、例えば車室内において、良好な音質が再生できる音響再生装置に関するものである。
【背景技術】
【０００２】
従来、車載用の音響再生装置として、図９に示すようなものが知られている。
【０００３】
図９において、音声入力部３からの音声入力を音質・音量制御部４にて車室内の特性に応じて音質の補正を行い、音声出力部５から良好な音声再生を行っていた。
【０００４】
この出願の発明に関連する先行技術文献情報としては、例えば特許文献１が知られている。
【特許文献１】特開平５−１０７９８５号公報
【発明の開示】
【発明が解決しようとする課題】
【０００５】
しかしながら上記従来の構成では、車室内において良好な音質を再生しようとしても、ユーザにとっての良好な音質・音量が、ユーザの心理的な要因等によって変化してしまうことになる。例えば、朝方と夕方では低音や高音などの音質の好みが変わり、ユーザにとって朝方に最適と思われる高音部のレベルは、夕方では大きく聞こえてしまうため、レベルを下げる必要がある。また、長時間車を運転していると疲労のため、良好と思われる音量・音質が時間経過により変化してしまうことがある。
【０００６】
本発明はこのような課題を解決するものであり、音質的に良好な音響再生装置を提供することを目的とする。
【課題を解決するための手段】
【０００７】
この課題を解決するために本発明の音響再生装置は、以下の構成を有する。
【０００８】
本発明の音響再生装置は、音声入力部と、音声出力部と、その音声入力部と音声出力部の間に設けられた少なくとも１つの音質・音量制御部と、時間情報を検出する時間情報検出手段と、その時間情報検出手段からの情報に応じて音質・音量の制御の判断を自動的に行う制御判断部を設ける構成としたため、ユーザの心理状態も考慮した極めて良好な再生音が得られるといった効果を有するものである。
【０００９】
更に、ユーザによって選択することのできる補正レベル選択手段や、補正タイミング選択手段や、ＯＮ／ＯＦＦ選択手段のほか、雨を検出する雨情報検出手段や風きり音を検出する風きり音情報手段などを設けることにより、ユーザの心理状態も考慮した極めて良好な再生音を提供することができるものである。
【発明の効果】
【００１０】
本発明の音響再生装置は、例えば車室内において時刻や時間の変化等からユーザの心理的要因における良好な音量・音質を推定し補正することにより、ユーザにとって良好な音声再生を提供できるという効果を奏するものである。
【発明を実施するための最良の形態】
【００１１】
（実施の形態１）
以下、実施の形態１を用いて、本発明の特に請求項１に記載の発明について説明する。
【００１２】
図１は、本発明の音響再生装置の実施の形態１〜３を説明するためのブロック図である。
【００１３】
図１において、１は時間情報検出手段、２は制御判断部、３は音声入力部、４は音質・音量制御部、５は音声出力部である。
【００１４】
本発明の音響再生装置では、車室内特性に応じた周波数特性の音質補正やユーザの好みによる音量補正、また低音域、高音域のレベル調整などを行うことができるため、その時点でのユーザの最適値にユーザ自身によって設定することが可能である。それに加えて、ユーザの心理状態の変化によってユーザの好みの音質が変化してしまうため、時間情報を検出し、少なくとも時間経過に伴うユーザの心理状態を推定することで、ユーザの心理状態の変化に伴うユーザの好み音質の変化に応じて音質補正を行うことで、ユーザの心理状態も考慮した極めて良好な再生音が得られるといった効果を有するものである。
【００１５】
（実施の形態２）
以下、実施の形態２を用いて、本発明の特に請求項２、請求項３に記載の発明について説明する。
【００１６】
図１において、時間情報検出手段１は、時計などの時刻情報を検出するものである。例えば朝方に比べて夕方は、ユーザの疲労感からも心理的に高音域の音が不快に感じてしまう。そこで夕方には、例えば５０００Ｈｚ以上の高音域のレベルを２ｄＢ〜６ｄＢ程度下げてやることで、高音域の音の不快感を解消することができる。なお、時間情報検出手段１として、時計などの代わりに照度計などの外部の明るさを検出することで、時刻情報を検出することもできる。
【００１７】
このような構成にすることにより、本発明の実施の形態１と同様に極めて良好な音質を得ることができる。
【００１８】
（実施の形態３）
以下、実施の形態３を用いて、本発明の特に請求項４に記載の発明について説明する。
【００１９】
図１において、時間情報検出手段１として、タイマなどにより自動車のエンジン始動時からの時間を計測することで、走行時間を検出することができる。この走行時間によって、ユーザの心理的状況の変化を推測することができる。例えば２時間以上の走行が続いたとき、５０００Ｈｚ以上の高音域のレベルを２〜６ｄＢ、３００Ｈｚ以下の低音域のレベルを２〜６ｄＢそれぞれ下げることで、ユーザにとって心地いい音質に補正することができる。さらに、エンジン始動時に前回のエンジン停止からの経過時間を検出することにより、短時間の休憩後のエンジン始動の場合は前回からの変化度合いを考慮した制御を行うことができる。
【００２０】
このような構成にすることにより、本発明の実施の形態１と同様に極めて良好な音質を得ることができる。
【００２１】
（実施の形態４）
以下、実施の形態４を用いて、本発明の特に請求項５〜８に記載の発明について説明する。
【００２２】
図２〜図４は、本発明の音響再生装置の実施の形態４を説明するためのブロック図である。図２〜図４において図１と同一構成である部分については同一番号を付して詳細な説明を省略し、異なる部分のみについて記述する。６は制御を行うための補正レベル選択手段、７は制御を行うための補正タイミング設定手段、８は補正制御を行うかどうかのＯＮ／ＯＦＦ選択手段である。
【００２３】
時間情報によりユーザの心理的状況の変化に応じて補正を行うことに加えて、個人差を考慮して、補正レベルを５段階程度以下のレベルから選択できるようにした補正レベル選択手段６を設ける。例えば、「大」、「中」、「小」の中から選択できるようにすることで、ユーザに適した補正を、ユーザにとって容易に実現できるようにしたものである。
【００２４】
なお、時間情報よりユーザの心理的状況の変化に応じて補正を行うときに、どのような補正を行うかを選択する補正タイミング設定手段を設けてもよい。例えば、夕方から出発し朝方帰宅するようなユーザにとっては、夕方に比べて朝方に高音域のレベルを下げるよう設定することで、ユーザに適した補正を実現できるようにしたものである。
【００２５】
また、ＯＮ／ＯＦＦ選択手段８によって、補正を行うか行わないかの判断をユーザが選択できるようにすることで、ユーザが補正を望まないときには補正を行わないようにすることもできる。
【００２６】
なお、制御判断部２において、現在の音量レベルを考慮して補正を行うこともできる。例えば、音量レベルが−４０ｄＢなど小さいときには、補正を行わないようにすることも可能である。
【００２７】
このような構成にすることにより、本発明の実施の形態１と同様に極めて良好な音質を得ることができる。
【００２８】
（実施の形態５）
以下、実施の形態５を用いて、本発明の特に請求項９、請求項１１に記載の発明について説明する。
【００２９】
図５、図７は、本発明の音響再生装置の実施の形態５を説明するためのブロック図である。図５、図７において図１と同一構成である部分については同一番号を付して詳細な説明を省略し、異なる部分のみについて記述する。９は雨を検出する雨情報検出手段、１０は雨情報から制御を判断する制御判断部、１２は風きり音を検出する風きり音情報検出手段である。
【００３０】
雨天時の自動車運転においては、雨による騒音も発生し、ユーザは心理的に明るい音質を好むようになる。したがって、例えば、中音域、高音域のレベルを２ｄＢ〜６ｄＢ増加させてやることで、ユーザの不快感を緩和させ好みの音質を実現させることができる。
【００３１】
また、自動車運転時において、風が自動車に当たって発生する風きり音のレベルが高ければ、ユーザは不快感を感じる。したがって、例えば、中音域、高音域のレベルを２ｄＢ〜６ｄＢ増加させてやることで、ユーザの不快感を緩和させ好みの音質を実現させることができる。
【００３２】
このような構成にすることにより、ユーザの心理状態も考慮した極めて良好な再生音を得ることができる。
【００３３】
（実施の形態６）
以下、実施の形態６を用いて、本発明の特に請求項１０、請求項１２に記載の発明について説明する。
【００３４】
図６、図８は、本発明の音響再生装置の実施の形態６を説明するためのブロック図である。図６と図８において図１と同一構成である部分については同一番号を付して詳細な説明を省略し、異なる部分のみについて記述する。１１、１４は補正制御を行うかどうかを選択するＯＮ／ＯＦＦ選択手段である。
【００３５】
ＯＮ／ＯＦＦ選択手段１１によって、雨を検出した場合においても補正を行わないことをユーザが選択できることで、ユーザが補正を望まないときに補正を行わないようにすることもできる。
【００３６】
また、ＯＮ／ＯＦＦ選択手段１４によって、風きり音を検出した場合においても補正を行わないことをユーザが選択できることで、ユーザが補正を望まないときに補正を行わないようにすることもできる。
【００３７】
このような構成にすることにより、本発明の実施の形態１と同様に極めて良好な音質を得ることができる。
【産業上の利用可能性】
【００３８】
本発明の音響再生装置は、例えば車室内において車室内特性を考慮した音場補正やユーザの好みの音質補正に加えて、例えば運転時間や朝、夕での聞こえ方の違い等の影響からくる人間の心理的状況を配慮した補正を行うことで、極めて良好な再生音が得られ、車の音響再生装置への適用に有用である。
【図面の簡単な説明】
【００３９】
【図１】本発明の音響再生装置の実施の形態１〜３を説明するためのブロック図
【図２】本発明の音響再生装置の実施の形態４を説明するためのブロック図
【図３】本発明の音響再生装置の実施の形態４を説明するためのブロック図
【図４】本発明の音響再生装置の実施の形態４を説明するためのブロック図
【図５】本発明の音響再生装置の実施の形態５を説明するためのブロック図
【図６】本発明の音響再生装置の実施の形態６を説明するためのブロック図
【図７】本発明の音響再生装置の実施の形態５を説明するためのブロック図
【図８】本発明の音響再生装置の実施の形態６を説明するためのブロック図
【図９】従来の音響再生装置を説明するためのブロック図
【符号の説明】
【００４０】
１  時間情報検出手段
２、１０、１３  制御判断部
３  音声入力部
４  音質・音量制御部
５  音声出力部
６  補正レベル選択手段
７  補正タイミング設定手段
８、１１、１４  ＯＮ／ＯＦＦ選択手段
９  雨情報検出手段
１２  風きり音検出手段
【図１】
2007300569.tif 000003
【図２】
2007300569.tif 000004
【図３】
2007300569.tif 000005
【図４】
2007300569.tif 000006
【図５】
2007300569.tif 000007
【図６】
2007300569.tif 000008
【図７】
2007300569.tif 000009
【図８】
2007300569.tif 000010
【図９】
2007300569.tif 000011